(57)【要約】【課題】ユーザを煩わせることなく、ユーザの身体に装着された機器と外部機器との間の無線通信の接続の維持及び切断を行う。【解決手段】外部機器と接続して無線通信する通信手段と、身体への装着状態の変化を検出する検出手段と、検出された装着状態の変化に応じて、外部機器との間の前記無線通信の接続状態を制御する制御手段と、を備える。【選択図】図１
2017005292.tif 000002
【特許請求の範囲】
【請求項１】
外部機器と接続して無線通信する通信手段と、
身体への装着状態の変化を検出する検出手段と、
前記検出された装着状態の変化に応じて、前記外部機器との間の前記無線通信の接続状態を制御する制御手段と、
を備えることを特徴とする無線通信端末。
【請求項２】
前記制御手段は、前記検出手段により前記身体に装着されている状態から前記身体に装着されていない状態に変化したと検出される場合には、前記外部機器との間の無線通信の接続を切断するよう制御することを特徴とする請求項１に記載の無線通信端末。
【請求項３】
前記制御手段は、前記検出手段により前記身体に装着されていない状態から前記身体に装着されている状態に変化したと検出される場合には、前記外部機器との間の無線通信の接続を確立するよう制御することを特徴とする請求項１または２に記載の無線通信端末。
【請求項４】
前記検出手段は、心拍センサー、脈拍センサー、血流センサー、血管センサー、指紋センサー、網膜センサーおよび虹彩センサーのうち少なくとも１つであり、
前記検出手段は、検出される生体情報に基づいて、前記身体への装着状態の変化を検出することを特徴とする請求項１乃至３のいずれか１項に記載の無線通信端末。
【請求項５】
前記無線通信は、ＢｌｕｅｔｏｏｔｈまたはＷｉ−Ｆｉの短距離無線通信であることを特徴とする請求項１乃至４のいずれか１項に記載の無線通信端末。
【請求項６】
前記制御手段は、前記装着状態に応じて、電力消費モードを切り替えることを特徴とする請求項１乃至５のいずれか１項に記載の無線通信端末。
【請求項７】
外部機器と接続して無線通信する無線通信端末の制御方法であって、
身体への装着状態の変化を検出するステップと、
前記検出された装着状態の変化に応じて、前記外部機器との間の前記無線通信の接続状態を制御するステップと、
を有する制御方法。
【請求項８】
外部機器と接続して無線通信する無線通信端末を実現するコンピュータに、
身体への装着状態の変化を検出するステップ、
前記装着状態の変化に応じて、前記外部機器との間の無線通信の接続状態を制御するステップ
を実行させるためのプログラム。
【請求項９】
請求項８に記載のプログラムをコンピュータが読み出し可能に記憶した記憶媒体。
【発明の詳細な説明】
【技術分野】
【０００１】
本発明は、身体に装着可能な無線通信端末に関する。
【背景技術】
【０００２】
近年、スマートフォンやスマートウォッチ等、ユーザが常時持ち歩き、または常時身に着けることのできるスマートデバイスやウェアラブルデバイスが発表されている。このような無線通信端末同士における無線通信の接続を確立することによって、ユーザにとって利益となる情報をスマートデバイスに集約し、またウェアラブルデバイスに通知する等、これまで以上に便利な使い方が提案されている。
【０００３】
このような無線通信端末間の通信においては、各無線端末装置が無線通信機能を有していても、各無線通信端末が有する特性等に応じて接続方法や手順が異なっている。特にユーザが身に着ける無線通信端末の場合、無線通信端末を装着したまま無線通信の接続または切断のための操作を行うのは困難であり、無線通信端末間の無線通信の接続確立方法や手順が煩わしいという問題がある。
【０００４】
特許文献１では、ストレージデバイスに記憶媒体を接続または挿入したことを検出した場合に、コンテンツを出力する出力デバイスを無線通信相手として無線通信を開始することや、選択されたコンテンツの送信が終了すると、ストレージデバイスは出力デバイス２１０との無線通信を切断することが開示されている。
【先行技術文献】
【特許文献】
【０００５】
【特許文献１】特開２０１４−２２０６０９号公報
【発明の概要】
【発明が解決しようとする課題】
【０００６】
しかしながら、特許文献１ではコンテンツの送信が終了すると無線通信を切断してしまう。このため、ユーザは新たに選択されたコンテンツを送信しようとする度に、無線通信を開始するためにストレージデバイスに記憶媒体を接続または挿入する操作を行わなければならず、ユーザにとって煩わしい。
【０００７】
本発明の目的は、ユーザを煩わせることなく、ユーザの必要性を判断して無線通信の接続の開始及び切断を容易に行うことのできる無線通信端末装置を提供することにある。
【課題を解決するための手段】
【０００８】
本発明に係る無線通信端末によれば、外部機器と接続して無線通信する通信手段と、身体への装着状態の変化を検出する検出手段と、前記検出された装着状態の変化に応じて、前記外部機器との間の前記無線通信の接続状態を制御する制御手段と、を備える。
【発明の効果】
【０００９】
本発明によれば、ユーザが無線通信端末をその身体に装着する、または取り外すことによって、無線通信の接続を開始または切断するので、ユーザは各々の無線通信端末間などの接続確立方法や手順のために特別な操作を行うことから解放されることになり、煩わしい接続・切断作業を行わなくて済むようになる。
【図面の簡単な説明】
【００１０】
【図１】本発明の第１の実施形態に係る無線通信システムのシステム構成図である。
【図２】本発明の第１の実施形態に係るデジタルカメラのハードウェア構成図である。
【図３】本発明の第１の実施形態に係るウェアラブル機器のハードウェア構成図である。
【図４】本発明の第１の実施形態に係る無線通信システムのシーケンス図である。
【図５】本発明の第１の実施形態に係るウェアラブル機器での通信処理を示すフローチャートである。
【図６】本発明の第１の実施形態に係るデジタルカメラでの通信処理を示すフローチャートである。
【図７】本発明の第２の実施形態に係る無線通信システムのシステム構成図である。
【発明を実施するための形態】
【００１１】
以下に、本発明を実施するための形態について、図面を参照しながら詳細に説明する。なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１２】
［第１の実施形態］
第１の実施形態における無線通信システム１００について説明する。図１は、無線通信システム１００のシステム構成図である。無線通信システム１００は、デジタルカメラ１０１と、ウェアラブル機器１０２とを備えている。外部装置としてのデジタルカメラ１０１は、ウェアラブル機器１０２と無線通信可能に構成されている。ウェアラブル機器１０２は、ユーザ１０３が身に着けることの可能な情報処理装置であり、本実施形態では腕時計型の情報処理装置として説明する。ウェアラブル機器１０２は、ユーザ１０３が身に着けることによってデジタルカメラ１０１との通信を確立して無線通信を行い、ユーザ１０３がウェアラブル機器１０２を身体から取り外すことによって無線通信を終了する。
【００１３】
図１に示す矢印Ａは、ユーザ１０３がウェアラブル機器１０２を身に着けることによって、ウェアラブル機器１０２がデジタルカメラ１０１と接続を確立して無線通信を行うことを示している。なお、本実施形態では通信装置の一例としてデジタルカメラ１０１について述べるが、通信装置はこれに限られない。例えば通信装置は、携帯型のメディアプレーヤ、タブレットデバイス、またはパーソナルコンピュータなどの情報処理装置であってもよい。
【００１４】
図２（ａ）は、本実施形態の通信装置の一例であるデジタルカメラ１０１のハードウェア構成図、図２（ｂ）、図２（ｃ）はデジタルカメラ１０１の斜視図である。なお、図２（ｂ）、図２（ｃ）において、レリーズスイッチ２０５ａが設けられている側を上側、撮像部２０２が設けられている側を正面側、表示部２０６が設けられている側を背面側と定義する。デジタルカメラ１０１は、制御部２０１、撮像部２０２、不揮発性メモリ２０３、作業用メモリ２０４、操作部２０５、表示部２０６、ＲＴＣ２０７、記録媒体Ｉ／Ｆ２０８、記録媒体２０９、及び通信部２１１を備えている。またデジタルカメラ１０１は、給電部２１２、電源部２１３、及び電源制御部２１４を備えている。撮像部２０２、不揮発性メモリ２０３、作業用メモリ２０４、操作部２０５、表示部２０６、ＲＴＣ２０７、記録媒体Ｉ／Ｆ２０８、通信部２１１、及び電源制御部２１４は、制御部２０１に電気的に接続されている。
【００１５】
制御部２０１は、ＣＰＵ（Central Processing Unit）を備え（図示せず）、入力された信号を処理し、不揮発性メモリ２０３に記録されたプログラムを実行することによって、デジタルカメラ１０１の各部を制御する。制御部２０１は、作業用メモリ２０４、表示部２０６等を制御することにより表示制御を行う。なお、制御部２０１がデジタルカメラ１０１全体を制御する代わりに、例えば複数のＣＰＵを備え、複数のＣＰＵが処理を分担することによってデジタルカメラ１０１全体を制御してもよい。
【００１６】
撮像部２０２は、例えば、光学レンズユニットと絞り・ズーム・フォーカスなど制御する光学系、及び光学レンズユニットを経て導入された光（映像）を電気的な映像信号に変換するための撮像素子などで構成される。撮像素子としては、一般的には、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が用いられる。撮像部２０２は、制御部２０１に制御されることにより、撮像部２０２が備えるレンズで結像された被写体光を撮像素子により電気信号に変換し、電気信号をデジタル変換してノイズ低減処理などの画像処理を行い、画像データとして出力する。本実施形態のデジタルカメラ１０１では、画像データは、ＤＣＦ（Ｄｅｓｉｇｎ  Ｒｕｌｅ  ｆｏｒ  Ｃａｍｅｒａ  Ｆｉｌｅ  Ｓｙｓｔｅｍ）の規格に従って、記録媒体２０９に記録される。
【００１７】
不揮発性メモリ２０３は、電気的に消去及び記録可能なメモリであり、制御部２０１で実行されるプログラム等が格納される。作業用メモリ２０４は、撮像部２０２で撮像された画像データを一時的に保持するバッファメモリ、表示部２０６に表示する画像データを格納する画像表示用メモリ、及び制御部２０１の作業領域等として用いられる。
【００１８】
操作部２０５は、例えばデジタルカメラ１０１の電源のＯＮ／ＯＦＦを切り換えるための電源ボタン、撮影を指示するためのレリーズスイッチ２０５ａ、及び画像データの再生を指示するための再生ボタン２０５ｂを含む。また操作部２０５は、４方向ボタン２０５ｃ、及び通信部２１１を介して外部機器との通信を開始するための専用の接続ボタンなどを含む。また操作部２０５として、表示部２０６に位置入力の機能を備えたタッチパネル２０５ｄとしてもよい。操作部２０５は、デジタルカメラ１０１に対するユーザからの各種操作を受け付ける。
【００１９】
レリーズスイッチ２０５ａは、デジタルカメラ１０１の筐体１０１ａの上面１０１ｂに設けられ、第１シャッタースイッチＳＷ１および第２シャッタースイッチＳＷ２を有する。レリーズスイッチ２０５ａが、いわゆる半押し状態となることにより、第１シャッタースイッチＳＷ１がＯＮとなる。これにより、制御部２０１は、ＡＦ（オートフォーカス）処理、ＡＥ（自動露出）処理、ＡＷＢ（オートホワイトバランス）処理、ＥＦ（フラッシュプリ発光）処理等を開始する。また、レリーズスイッチ２０５ａが、いわゆる全押し状態となることにより、第２シャッタースイッチＳＷ２がＯＮとなる。これにより、制御部２０１は撮影処理を行う。撮影処理とは、撮像部２０２から信号を読み出し、画像処理を行い、作業用メモリ２０４に画像データを書き込み、表示部２０６に表示し、記録媒体２０９に画像データを書き込むまでの処理である。
【００２０】
表示部２０６は、筐体１０１ａの背面１０１ｃに設けられ、液晶ディスプレイ等から構成されている。表示部２０６は、撮影の際のビューファインダー画像の表示、撮影した画像データ、及びユーザとの対話的な操作のための文字等を表示する。なお、表示部２０６は必ずしもデジタルカメラ１０１と一体に構成されている必要はない。例えば、表示部２０６はデジタルカメラ１０１から分離可能に構成されていてもよいし、デジタルカメラ１０１とは異なる外部の機器が有する表示部を用いてもよい。デジタルカメラ１０１は、一体に構成された表示部又は外部の表示部２０６と接続することができ、表示部２０６の表示を制御する制御部２０１を有していればよい。
【００２１】
ＲＴＣ（Ｒｅａｌ  Ｔｉｍｅ  Ｃｌｏｃｋ）２０７は、時計管理を行い、現在の日時情報を生成して制御部２０１へ入力する。ＲＴＣ２０７は、操作部２０５によって設定された時刻に基づき計時してもよいし、通信部２１１を介して取得した時刻情報を設定した時刻、または、電波時計によって捕捉された時刻を設定して計時してもよい。
【００２２】
記録媒体Ｉ／Ｆ２０８は、記録媒体２０９とのインターフェースである。撮影時には、制御部２０１の指示信号により、作業用メモリ２０４に格納された撮影時の画像データを読み出して記録媒体２０９に格納する。記録媒体２０９は、撮像部２０２から出力された画像データを記録するためのメモリカード等の記録媒体であり、半導体メモリや磁気ディスク等から構成される。記録媒体２０９は、デジタルカメラ１０１に着脱可能であってもよいし、デジタルカメラ１０１に内蔵されていてもよい。
【００２３】
通信部２１１は、通信可能な無線通信端末と無線通信を行うためのインターフェースである。通信部２１１は、ＩＥＥＥ８０２．１５.１の規格に従った、いわゆるＢｌｕｅｔｏｏｔｈ（登録商標）で通信するためのインターフェースを含む。本実施形態のデジタルカメラ１０１は、通信部２１１を介して、ウェアラブル機器１０２とデータの送受信を行うことができる。例えば、撮像部２０２で生成した画像データを、通信部２１１を介してウェアラブル機器１０２に送信することができる。なお、本実施形態では、なお、通信方式はＢｌｕｅｔｏｏｔｈに限定されるものではなく、短距離無線通信、例えば、ＩＥＥＥ８０２．１１の規格で知られるＷｉ−Ｆｉ等の無線ＬＡＮ、または、赤外通信方式も含む。
【００２４】
本実施形態におけるデジタルカメラ１０１の通信部２１１は、ペリフェラルモード、または、セントラルモードを有している。制御部２０１は通信部２１１をペリフェラルモードで動作させることにより、本実施形態におけるデジタルカメラ１０１は、Ｂｌｕｅｔｏｏｔｈにおけるクライアント機器として動作することが可能である。デジタルカメラ１０１がクライアント機器として動作する場合、セントラルモードになるウェアラブル機器１０２に接続することによって無線通信することが可能である。なお、接続する外部機器との認証については、事前にペアリングを行うことによって互いに認証し、接続する無線通信端末、つまりウェアラブル機器１０２の固有情報を不揮発性メモリ２０３に保持する。
【００２５】
給電部２１２は、筺体１０１ａの側面１０１ｄに設けられ、アンテナを有している。給電部２１２を充電器に一定の距離に近づけることにより、給電部２１２は図示しない充電器から送信された電波を受信して、受信した電波を図示しない整流器で整流して電源部２１３に給電する。これにより、ケーブル等を介さずに給電部２１２へ非接触で給電可能であり、制御部２０１は給電の開始終了を制御することができる。電源部２１３は、二次電池等から構成され、給電部２１２と電気的に接続する。電源制御部２１４は、電源部２１３と電気的に接続し、図示しない電池検出回路、ＤＣ−ＤＣコンバータ、通電するブロックを切り換えるスイッチ回路等を備え、電源部２１３の電池の残量の検出等を行う。電源制御部２１４は、制御部２０１からの指令信号に基づいてＤＣ−ＤＣコンバータを制御し、必要な電圧を必要な時間、デジタルカメラ１０１を構成する各部へ供給する。なお、本実施形態では給電部２１２を電波受信型の非接触給電として説明したが、給電部２１２は非接触給電であればよく、電磁誘導型、または共鳴型であってもよい。
【００２６】
図３は、本実施形態の無線通信端末の一例であるウェアラブル機器１０２のハードウェア構成図である。本実施形態では体に身に着けることができる情報処理装置の一例としてスマートウォッチという無線機能付きの腕時計型のウェアラブル機器１０２について説明するが、ウェアラブル機器１０２はこれに限られない。例えばウェアラブル機器１０２は、腕時計の代わりに眼鏡、体温計や体組成計、あるいはヘルメットなどであってもよい。
【００２７】
ウェアラブル機器１０２は、制御部３０１、不揮発性メモリ３０２、作業用メモリ３０３、操作部３０４、表示部３０５、生体情報検出部３０６、ＲＴＣ３０７、加速度検出部３０８、記録媒体Ｉ／Ｆ３０９、記録媒体３１０を備える。またウェアラブル機器１０２は、通信部３１１及びタイマー３１２を備える。不揮発性メモリ３０２、作業用メモリ３０３、操作部３０４、表示部３０５、生体情報検出部３０６、ＲＴＣ３０７、加速度検出部３０８、記録媒体Ｉ／Ｆ３０９、通信部３１１、及びタイマー３１２は、制御部３０１に電気的に接続している。
【００２８】
制御部３０１は、ＣＰＵ（Central Processing Unit）を備え（図示せず）、入力された信号を処理し、不揮発性メモリ３０２に記録されたプログラムを実行することによってウェアラブル機器１０２の各部を制御する。制御部３０１は、作業用メモリ３０３、表示部３０５等を制御して表示制御を行う。なお、制御部３０１がウェアラブル機器１０２全体を制御する代わりに、例えば複数のＣＰＵを備え、複数のＣＰＵが処理を分担することによって、ウェアラブル機器１０２全体を制御してもよい。
【００２９】
不揮発性メモリ３０２は、電気的に消去・記録可能なメモリである。不揮発性メモリ３０２には、制御部３０１が実行する基本的なソフトウェアであるＯＳ（オペレーティングシステム）、このＯＳと協働して応用的な機能を実現するアプリケーション、及び制御部３０１で実行されるプログラムが記録されている。また、本実施形態では、不揮発性メモリ３０２には、無線通信を行う対象のデジタルカメラ１０１の固有情報、及び通信するためのアプリケーションが格納されている。作業用メモリ３０３は、表示部３０５に表示する画像データを一時的に格納する画像表示用メモリ、及び制御部３０１の作業領域等として用いられる。
【００３０】
操作部３０４は、例えばユーザがウェアラブル機器１０２の電源のＯＮ／ＯＦＦを切り換えるための電源ボタン、ＲＴＣ３０７を設定する操作部、表示部３０５に形成される位置入力の機能を備えたタッチパネルなどの操作部を含む。操作部３０４は、ウェアラブル機器１０２に対するユーザからの各種操作を受け付ける。
【００３１】
表示部３０５は、液晶ディスプレイ等から構成されている。表示部３０５は、画像データ、及び対話的な操作のための文字等を表示する。なお、表示部３０５はウェアラブル機器１０２と一体に構成されている必要はなく、ウェアラブル機器１０２とは異なる機器、例えばタブレット端末の表示部を表示部３０５として用いてもよい。ウェアラブル機器１０２は、表示部３０５と接続することができ、表示部３０５の表示を制御する制御部３０１を少なくとも有していればよい。
【００３２】
検出手段としての生体情報検出部３０６は、所定の周期でユーザの脈拍、心拍、血流等の生体情報を検出するセンサーである。生体情報検出部３０６は、例えば、脈拍を検出する脈拍センサー、心拍を検出する心拍センサー、血流を検出する血流センサー、導電性高分子による皮膚の接触によって電位の変化を検出したことを検知するセンサーを含む。本実施形態では、生体情報検出部３０６として心拍センサーを用いて説明する。心拍センサーは、例えばＬＥＤ等を用いて皮膚に赤外光を照射し、体組織を透過した赤外光を受光センサーで検出して信号処理することによりユーザの心拍を検出する。生体情報検出部３０６は、検出した生体情報を信号として制御部３０１へ出力する。
【００３３】
ＲＴＣ（Ｒｅａｌ  Ｔｉｍｅ  Ｃｌｏｃｋ）３０７は、時計管理を行い、現在の日時情報を生成して制御部３０１へ供給する。ＲＴＣ３０７は、操作部３０４によって設定された時刻に基づき計時してもよいし、通信部３１１を介して取得した時刻情報を設定した時刻、または、電波時計によって捕捉された時刻を設定して計時してもよい。ＲＴＣ３０７は時刻を管理することができればよい。また、ＲＴＣ３０７は、アナログ時計から時刻情報を入手することができるものであってもよい。この場合、ＲＴＣ３０７は、アナログ時計から時刻を検出する検出機能を含むものとする。
【００３４】
加速度検出部３０８は、ウェアラブル機器１０２の加速度の変化を検出するセンサーである。加速度検出部３０８は、検出した加速度の情報を制御部３０１へ出力する。制御部３０１は、入力された加速度の情報に基づきユーザが移動しているかどうかを判定することができる。
【００３５】
記録媒体Ｉ／Ｆ３０９は、記録媒体３１０とのインターフェースである。記録媒体３１０は、ウェアラブル機器１０２に着脱可能に構成してもよいし、ウェアラブル機器１０２に内蔵されていてもよい。記録媒体３１０は、通信部３１１を介して受信したデジタルカメラ１０１から受信した画像データを記録する。なお、本実施形態では、ウェアラブル機器１０２は記録媒体３１０を備えているが、ウェアラブル機器１０２は記録媒体３１０にアクセスする記録媒体Ｉ／Ｆ３０９を有していればよい。
【００３６】
通信部３１１は、通信可能な外部装置と無線通信を行うためのインターフェースである。本実施形態のウェアラブル機器１０２は、通信部３１１を介して、デジタルカメラ１０１と無線通信を行い、データの送受信を行う。本実施形態では、通信部３１１はアンテナであり、制御部３０１は、アンテナを介してデジタルカメラ１０１と無線通信を行う。なお、デジタルカメラ１０１とウェアラブル機器１０２とは、直接通信してもよいし、中継サーバーを介して通信してもよい。ウェアラブル機器１０２においてデータを通信するためのプロトコルとしては、例えばＢｌｕｅｔｏｏｔｈの独自プロファイルを用いることができる。なお、ウェアラブル機器１０２におけるデジタルカメラ１０１との通信はＢｌｕｅｔｏｏｔｈに限られるものではない。例えば、通信部３１１は、赤外線通信モジュール、無線ＬＡＮ通信モジュール、ＷｉｒｅｌｅｓｓＵＳＢ等の短距離無線通信の無線通信モジュールを含むことができる。接続する外部機器との認証については、事前にペアリングを行うことによって互いに認証し、接続する外部機器、つまりデジタルカメラ１０１の接続パラメータとしての固有情報を取得して不揮発性メモリ３０２に保持する。タイマー３１２は、各種制御における時間の計測や、内蔵された時計の時間を計測する計時部である。
【００３７】
図４は無線通信システム１００のシーケンス図、図５はデジタルカメラ１０１での通信処理を示すフローチャート、図６はウェアラブル機器１０２での通信処理を示すフローチャートである。図４に示すシーケンス図は、図５、図６に示す通信処理を同時または異なるタイミングで開始した場合を含んでいる。図４に示すシーケンス図は無線通信システム１００の処理の流れを示しており、図５、図６に示すフローチャートはデジタルカメラ１０１、ウェアラブル機器１０２におけるそれぞれの詳しい処理を示している。なお、図４に示すシーケンス図は、ウェアラブル機器１０２の電源が入れられることによって開始する。また、図４に示すシーケンス図は、デジタルカメラ１０１で行われるステップは制御部２０１、ウェアラブル機器１０２で行われるステップは制御部３０１によってそれぞれ行われる。
【００３８】
ステップＳ４０１では、制御部３０１は、生体情報検出部３０６によって検出されたユーザ１０３の心拍数を計測する。制御部３０１がウェアラブル機器１０２の装着状態を判断するためには、所定の時間、心拍数の計測を行う必要がある。ステップＳ４０２では、制御部３０１は、心拍数の変化を検知する。ウェアラブル機器１０２がユーザ１０３に装着されることによって制御部３０１が計測する心拍数は変化するので、心拍数の変化を検知することによって制御部３０１はユーザ１０３がウェアラブル機器１０２を装着したか否かを判定することができる。制御部３０１は、心拍数の変化を検知した場合には、ステップＳ４０３へ進む。
【００３９】
ステップＳ４０３では、制御部３０１は、不揮発性メモリ３０２に格納されているデジタルカメラ１０１の固有情報と一致する装置を検索する。デジタルカメラ１０１の固有情報と一致する装置が見つかった場合には、制御部３０１はステップＳ４０４へ進む。ステップＳ４０４では、制御部３０１は、接続パラメータとしてのデジタルカメラ１０１の固有情報に基づき、デジタルカメラ１０１に対して接続要求を送信し、無線通信の確立処理を実行する。ステップＳ４０５では、デジタルカメラ１０１の制御部２０１は、ウェアラブル機器１０２に応答を返し、無線通信の確立処理を実行する。これにより、デジタルカメラ１０１とウェアラブル機器１０２との無線通信の接続が確立し、無線通信を介した画像データ等の送受信が可能になる。
【００４０】
ステップＳ４０６では、ウェアラブル機器１０２の制御部３０１は、ＲＴＣ３０７から時刻情報を取得し、デジタルカメラ１０１へ送信する。ステップＳ４０７では、制御部２０１は、受信した時刻情報に基づいてＲＴＣ２０７の時刻情報を更新する。ステップＳ４０８では、制御部２０１は、時刻補正を行った後、ウェアラブル機器１０２へ応答を返す。なお、ステップＳ４０６〜Ｓ４０８に示す時刻補正は、デジタルカメラ１０１とウェアラブル機器１０２との間で行われる通信の一例である。デジタルカメラ１０１とウェアラブル機器１０２との接続が完了した後、無線通信システム１００においてデータの送受信が可能になる。
【００４１】
ステップＳ４０９では、制御部３０１は、生体情報検出部３０６によって心拍数の計測を行う。ステップＳ４１０では、制御部３０１は、心拍数の変化を検知する。ステップＳ４１０では、ウェアラブル機器１０２がユーザ１０３の身体から取り外されることによって心拍数が変化するので、心拍数の変化を検知することによって、制御部３０１はユーザ１０３がウェアラブル機器１０２を取り外したか否かを判定することができる。心拍数の変化を検知した場合には、制御部３０１はステップＳ４１１へ進む。ステップＳ４１１では、制御部３０１は、デジタルカメラ１０１へ切断要求を送信する。ステップＳ４１２では、デジタルカメラ１０１の制御部２０１は、ウェアラブル機器１０２に応答を返した後、ウェアラブル機器１０２との通信の終了処理を実行する。ウェアラブル機器１０２の制御部３０１もカメラ１０１からの応答を受けてデジタルカメラ１０１との通信の終了処理を実行する。これにより、デジタルカメラ１０１とウェアラブル機器１０２との間の無線通信が切断される。なお、ステップＳ４０９、Ｓ４１０は、デジタルカメラ１０１とウェアラブル機器１０２とが接続された後、所定の周期で実行される。
【００４２】
次に、本実施形態におけるデジタルカメラ１０１の通信処理について図５に基づいて説明する。なお、図５に示すフローチャートは、デジタルカメラ１０１の電源が入った後、制御部２０１によって行われる。
【００４３】
ステップＳ５０１では、制御部２０１は、通信部２１１を介して、ウェアラブル機器１０２と接続できたかどうかを判定する。詳しくは、通信部２１１の通信方式がＢｌｕｅｔｏｏｔｈの場合には、制御部２０１は、通信部２１１をペリフェラルモードとしてＡｄｖｅｔｉｚｅｍｅｎｔ信号を発信し、その信号に対する応答を待つ。ウェアラブル機器１０２と接続できた場合には（ステップＳ５０１：Ｙｅｓ）、制御部２０１は、ウェアラブル機器１０２との通信が可能になったと判定してステップＳ５０２に進む。ウェアラブル機器１０２と接続できない場合には（ステップＳ５０１：Ｎｏ）、制御部２０１はステップＳ５０１へ戻る。
【００４４】
ステップＳ５０２では、制御部２０１は、通信部２１１を介してウェアラブル機器１０２から時刻情報を受信し、時刻情報を作業用メモリ２０４に格納し、ＲＴＣ２０７の時刻を更新する。なお、時刻の更新は一例であり、ステップＳ５０２では、制御部２０１は接続したウェアラブル機器１０２からの要求に従ったアプリケーションを不揮発性メモリ２０３に格納されているプログラムを実行することによって動作させることができればよい。すなわち、ウェアラブル機器１０２からのレリーズ（撮影）要求による撮影、及び画像取得要求に対する応答として画像データを送信するなど、デジタルカメラ１０１と通信することによって付加価値が得られる動作を含んでいる。
【００４５】
ステップＳ５０３では、制御部２０１は、ウェアラブル機器１０２から切断要求があったか否かを判定する。切断要求があった場合には（ステップＳ５０３：Ｙｅｓ）、制御部２０１はウェアラブル機器１０２と通信を切断すると判定してステップＳ５０４に進む。切断要求がない場合には（ステップＳ５０３：Ｎｏ）、制御部２０１はウェアラブル機器１０２との通信を継続すると判定してステップＳ５０３へ戻る。ステップＳ５０４では、制御部２０１は、ウェアラブル機器１０２に切断要求に対する応答を返し、ウェアラブル機器１０２との通信を切断する。
【００４６】
次に、本実施形態で行われるウェアラブル機器１０２での通信処理について図６に基づき説明する。なお、図６に示すフローチャートは、ウェアラブル機器１０２の電源が入った後に制御部３０１によって行われる。
【００４７】
ステップＳ６０１では、制御部３０１は、生体情報検出部３０６が検出したユーザ１０３の心拍数を計測する。ユーザ１０３がウェアラブル機器１０２を装着したことを判定するために、制御部３０１は、所定の時間、心拍数を計測する。ウェアラブル機器１０２がユーザ１０３の身体に装着されている場合には、制御部３０１が計測する心拍数は０ｂｐｍよりも大きな値になる。一方、ウェアラブル機器１０２がユーザ１０３の身体に装着されていない場合には、制御部３０１が計測する心拍数は、例えば０ｂｐｍとなる。
【００４８】
ステップＳ６０２では、制御部３０１は、計測した心拍数に変化があったか否かを判定する。詳しくは、制御部３０１は、心拍数が０ｂｐｍから、ウェアラブル機器１０２がユーザ１０３の身体に装着されたことを示す閾値（例えば６０〜８０ｂｐｍ）へ変化したか否かを判定する。心拍数に変化があったと判定した場合には（ステップＳ６０２：Ｙｅｓ）、制御部３０１は、ウェアラブル機器１０２がユーザ１０３の身体に装着されたと判定してステップＳ６０３へ進む。心拍数に変化がない、つまり心拍数が０ｂｐｍである場合には（ステップＳ６０２：Ｎｏ）、ウェアラブル機器１０２はユーザ１０３の身体に装着されていないと判定し、ステップＳ６０１に戻る。なお、ステップＳ６０１、Ｓ６０２が実行されている間、制御部３０１は、電力消費モードを電源の消費量が少ない省電力モードにし、生体情報検出部３０６など必要最小限の機器だけに電力を供給するようにしてもよい。そして、制御部３０１は、ステップＳ６０２でウェアラブル機器１０２がユーザ１０３の身体に装着されていると判定された後、通常電力モードに切り替えるようにしてもよい。
【００４９】
ステップＳ６０３では、制御部３０１は、不揮発性メモリ３０２に登録されているデジタルカメラ１０１の固有情報と一致するデバイスを、通信部３１１を介して検索する。ステップＳ６０４では、制御部３０１は、通信部３１１を介して、デジタルカメラ１０１と一致するデバイスの情報を見つけることができたか否かを判定する。具体的には、通信がＢｌｕｅｔｏｏｔｈで行われた場合、制御部３０１は、通信部３１１をセントラルモードとして、デジタルカメラ１０１のＡｄｖｅｔｉｚｅｍｅｎｔ信号を受信したかどうかを判定する。デジタルカメラ１０１と一致するデバイスの情報を発見した場合には（ステップＳ６０４：Ｙｅｓ）、制御部３０１は、デジタルカメラ１０１からの信号を受信したと判定し、ステップＳ６０５に進む。デジタルカメラ１０１と一致するデバイスの情報が見つからない場合には（ステップＳ６０４：Ｎｏ）、制御部３０１は、デジタルカメラ１０１からの信号を受信していないと判定し、ステップＳ６１０に進む。
【００５０】
ステップＳ６０５では、制御部３０１は、ステップＳ６０４で発見したデジタルカメラ１０１に対して、通信部３１１を介して接続要求を行い、デジタルカメラ１０１と接続する。このように、制御部３０１はユーザ１０３がウェアラブル機器１０２を身体に装着していることを示す生体情報を検出した場合にデジタルカメラ１０１との接続を行う。これにより、ユーザはデジタルカメラ１０１とウェアラブル機器１０２との接続を意識して行う必要はない。
【００５１】
ステップＳ６０６では、制御部３０１は、ＲＴＣ３０７から時刻情報を取得し、通信部３１１に時刻を送信する。なお、時刻同期は一例であり、制御部３０１は、不揮発性メモリ３０２に格納されているアプリケーションプログラムを実行してソフトウェアを動作させる。これにより、ウェアラブル機器１０２は、デジタルカメラ１０１に格納されている画像データを受信することができる。またウェアラブル機器１０２は、デジタルカメラ１０１に対してリモートコントロールを指示する信号を送信することによって、デジタルカメラ１０１から画像データを受信して表示部３０５にライブビュー画像を表示し、またデジタルカメラ１０１の撮影を実行することが可能となる。
【００５２】
ステップＳ６０７では、制御部３０１は、生体情報検出部３０６が検出したユーザ１０３の心拍数を計測する。制御部３０１は、所定の時間、心拍数を計測する。ステップＳ６０８では、制御部３０１は、計測した心拍数が変化したか否かを判定する。詳しくは、制御部３０１は、心拍数がウェアラブル機器１０２をユーザ１０３の身体に装着している状態を示す心拍数の閾値（例えば６０〜８０ｂｐｍ）からユーザ１０３の身体からウェアラブル機器１０２を取り外したことを示す０ｂｐｍに変化したか否かを判定する。心拍数に変化があった場合には（ステップＳ６０８：Ｙｅｓ）、制御部３０１は、ウェアラブル機器１０２はユーザ１０３の身体から取り外されたと判定してステップＳ６０９に進む。心拍数に変化がない場合には（ステップＳ６０８：Ｎｏ）、制御部３０１は、ウェアラブル機器１０２がユーザ１０３の身体に装着されていると判定してステップＳ６０７に戻る。ステップＳ６０９では、制御部３０１は、通信部３１１を介してデジタルカメラ１０１に切断要求を行い、デジタルカメラ１０１との通信を切断する。
【００５３】
ステップＳ６１０では、制御部３０１は、タイマー３１２によってデジタルカメラ１０１の検索を開始してからの経過時間をカウントする。ステップＳ６１１では、制御部３０１は、経過時間がデジタルカメラ１０１を検索する時間を超えたか否かを判定する。検索する時間を超えていない場合には（ステップＳ６１１：Ｎｏ）、制御部３０１はデジタルカメラ１０１を検索すると判定してステップＳ６０４に戻る。検索する時間を超えている場合には（ステップＳ６１１：Ｙｅｓ）、制御部３０１はデジタルカメラ１０１が見つからなかったと判定して経過時間のカウント値をリセットし、本フローチャートを終了する。なお、ステップＳ６１０、Ｓ６１１は必ずしも必要ではない。
【００５４】
なお、ステップＳ６０９で無線通信が切断される場合、制御部３０１は上述の通常電力モードから省電力モードに切り替えるようにしてもよい。また、ステップＳ６０８でウェアラブル機器１０２がユーザ１０３の身体に装着されていないと判定される場合、タイマー３１２で計時を開始し、所定の時間経過後、ステップＳ６０９で通信を切断するようにしてもよい。また、ステップＳ６０８でウェアラブル機器１０２がユーザ１０３の身体に装着されていないと判定される場合、制御部３０１はデジタルカメラ１０１とのデータの送受信が終了しているか否かを判定するようにしてもよい。制御部３０１は、データの送受信が終了したと判定した後、ステップＳ６０９で通信を切断するようにしてもよい。また、ステップＳ６０８でウェアラブル機器１０２がユーザ１０３の身体に装着されていないと判定される場合、制御部３０１はウェアラブル機器１０２に対するユーザ１０３の操作の有無を判定するようにしてもよい。制御部３０１は、ユーザ１０３の操作がないと判定した後、ステップＳ６０９で通信を切断するようにしてもよい。
【００５５】
このように、本実施形態では、ウェアラブル機器１０２をユーザ１０３の身体に装着することによって、デジタルカメラ１０１と接続して無線通信することが可能になる。また、ウェアラブル機器１０２をユーザ１０３の身体から取り外すことによって、デジタルカメラ１０１との通信を切断することが可能になる。すなわち、ウェアラブル機器１０２の身体への装着と身体からの脱着という一連の自然な動作と連動して、デジタルカメラ１０１とウェアラブル機器１０２との接続状態、即ち通信を開始、継続および終了する。これにより、ユーザ１０３がウェアラブル機器１０２を装着している間は、ユーザ１０３はデジタルカメラ１０１と連携したウェアラブル機器１０２の機能を利用することができる。また、ウェアラブル機器１０２を装着しておらず、そのような機能を利用しないときは、デジタルカメラ１０１とウェアラブル機器１０２との通信は切断されるので無駄な通信が行われるのを防ぐことができる。以上のようにして、デジタルカメラ１０１とウェアラブル機器１０２との通信の接続の開始、維持及び切断に係る特別な操作をユーザは意識して行う必要はなくなる。
【００５６】
［第２の実施形態］
本発明に係る第２の実施形態について以下に説明する。本実施形態では、第１の実施形態に対しウェアラブル機器１０２を眼鏡型の情報処理装置とした点が異なっており、その他の構成については共通している。従って、共通箇所の説明は省略する。
【００５７】
第２の実施形態におけるシステム構成について説明する。図７は、無線通信システム７００のシステム構成図である。無線通信システム７００は、デジタルカメラ１０１と、ウェアラブル機器７０１とを備えている。ウェアラブル機器７０１は、眼鏡型の情報処理装置であり、レンズ７０２を表示部として、レンズ７０２にデジタルカメラ１０１で撮影した画像やライブビュー映像などが表示される。ウェアラブル機器７０１は、ユーザ１０３の身体に装着されることによって、デジタルカメラ１０１との通信を確立して無線通信を行い、ユーザ１０３がウェアラブル機器７０１を取り外すことによって無線通信を切断する。
【００５８】
図７に示す矢印Ｂは、ユーザ１０３がウェアラブル機器７０１を装着することによって、ウェアラブル機器７０１がデジタルカメラ１０１と接続を確立して無線通信することを示している。ウェアラブル機器７０１として眼鏡型の情報処理装置を用いることは、腕時計型の情報処理装置と同様に、ユーザーインターフェイスを多く用意することが難しい製品であるため、このような実施形態には有効である。
【００５９】
以上で本発明の実施形態について説明を終えるが、本発明は上述した実施形態に限定されるものではなく、本発明の趣旨を逸脱しない範囲で種々の変更が可能である。例えば、上記実施形態では、生体情報検出部３０６として心拍センサーを例に説明したが、上述したセンサーの他に、血管センサー、指紋センサー、網膜センサー、及び虹彩センサー等も利用可能である。生体情報検出部３０６として血流センサーを用いる場合、制御部３０１は、ユーザ１０３の血流を検出したことに基づいて、ウェアラブル機器１０２、７０１がユーザ１０３の身体に装着されていることを判定するようにしてもよい。または、制御部３０１は、ユーザ１０３の血流量を計測してウェアラブル機器１０２、７０１がユーザ１０３の身体に装着されていることを判定するようにしてもよい。生体情報検出部３０６として皮膚接触を検知するセンサーを用いる場合、制御部３０１は、電位の変化を検出することによって皮膚接触があったことを判定するようにしてもよい。
【００６０】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６１】
１００  無線通信システム
１０１  デジタルカメラ
１０２、７０１  ウェアラブル機器
３０６  生体情報検出部
【図１】
2017005292.tif 000003
【図２】
2017005292.tif 000004
【図３】
2017005292.tif 000005
【図４】
2017005292.tif 000006
【図５】
2017005292.tif 000007
【図６】
2017005292.tif 000008
【図７】
2017005292.tif 000009